(57)【要約】【課題】  リール体におけるブロッキングの発生を防止する。【解決手段】  剥離基材３１上に樹脂層３２が形成されてなる異方性導電フィルム３と、異方性導電フィルムを巻取る巻取部２１と、巻取部２１の両側に設けられたフランジ２２とを有するリール２とを備え、異方性導電フィルム３は、巻取部２１に巻回され、巻取部２１とフランジ２２とにより形成された領域に配置されており、剥離基材３１は、長さ方向Ｌに沿った幅方向Ｗの一端３１ａが、樹脂層３２の長さ方向Ｌに沿った幅方向Ｗの一端３２ａよりも突出した突出部３１ｃを有し、突出部３１ｃがフランジ２２に接している。【選択図】  図３
2011058007.tif 000002
【特許請求の範囲】
【請求項１】
剥離基材上に樹脂層が形成されてなる接着フィルムと、
前記接着フィルムを巻取る巻取部と、該巻取部の両側に設けられたフランジとを有するリールとを備え、
前記接着フィルムは、前記巻取部に巻回され、該巻取部と前記フランジとにより形成された領域に配置されており、
前記剥離基材は、長さ方向に沿った幅方向の一端が、前記樹脂層の長さ方向に沿った幅方向の一端よりも突出した突出部を有し、該突出部が前記フランジに接しているリール体。
【請求項２】
前記樹脂層の長さ方向に沿った幅方向の一端と、前記剥離基材の長さ方向に沿った幅方向の一端との間の幅をＡ、該剥離基材の厚さをＤとした場合に、Ａ≦Ｄを満たす請求項１記載のリール体。
【請求項３】
（前記剥離基材の厚さ）／（前記剥離基材の突出幅）が１．０〜８．０である請求項１又は２記載のリール体。
【請求項４】
前記剥離基材の厚さが、３０〜８０μｍである請求項１乃至３のうちいずれか１項記載のリール体。
【請求項５】
前記接着フィルムは、剥離基材上に導電性粒子を含有する樹脂層が積層された異方性導電フィルムである請求項１乃至４のうちいずれか１項記載のリール体。
【請求項６】
前記接着フィルムは、前記剥離基材の長さ方向に沿った幅方向の他端と、前記樹脂層の長さ方向に沿った幅方向の他端とが一致するとともに、該剥離基材の他端と該樹脂層の他端とが前記フランジに接している請求項１乃至５のうちいずれか１項記載のリール体。
【請求項７】
剥離基材上に樹脂層が形成された接着フィルムを、巻取部と該巻取部の両側に設けられたフランジとを有するリールに巻回させてリール体を製造するリール体の製造方法において、
前記剥離基材は、長さ方向に沿った幅方向の一端が、前記樹脂層の長さ方向に沿った幅方向の一端よりも突出した突出部を有し、
前記突出部が前記フランジに接した状態で、前記接着フィルムを前記巻取部に巻回させるリール体の製造方法。
【発明の詳細な説明】
【技術分野】
【０００１】
本発明は、剥離基材上に樹脂層が形成された接着フィルムをリールに巻回させたリール体及びリール体の製造方法に関する。
【背景技術】
【０００２】
異方性導電フィルム（ＡＣＦ：Anisotropic Conductive Film）は、例えば、フラットパネルディスプレイ等の用途においては、フラットパネルディスプレイ等の高精細化、狭額縁化、タクトタイム短縮、コストダウン等の要求から、幅が従来よりも狭くなり長尺化が進んでいる。
【０００３】
ところで、このような異方性導電フィルムは、例えば、フランジを有するリールに巻回されたリール体として使用される。このリール体においては、リールに巻回された異方性導電フィルムの巻装体が温度条件によって伸縮し、異方性導電フィルムの巻装体の巻き絞りが発生してしまう。その結果、異方性導電フィルムの樹脂層（接着剤成分）が、樹脂層の長さ方向に沿った幅方向の一端よりも外側に流動して、剥離基材の側面からはみ出してしまう。樹脂層が剥離基材の側面からはみ出してしまうと、異方性導電フィルムにおける樹脂層がリールのフランジの側面に付着してしまい、異方性導電フィルムを正常に引き出せなくなる不具合（以下、「ブロッキング」と呼ぶ）が発生してしまう。
【０００４】
特許文献１には、剥離基材上の中央に樹脂層を配置した異方性導電フィルムの膜構造について記載されている。しかし、このような異方性導電フィルムをリールに巻回させたリール体においては、異方性導電フィルムの巻装体において巻き絞りが発生すると、樹脂層が樹脂層の長さ方向に沿った幅方向の一端よりも外側に流動し、剥離基材の側面からはみ出してしまう。その結果、上述したブロッキングが発生してしまう。
【先行技術文献】
【特許文献】
【０００５】
【特許文献１】特開２００３−１４２１７６号公報
【発明の概要】
【発明が解決しようとする課題】
【０００６】
本発明は、このような従来の実情に鑑みて提案されたものであり、ブロッキングの発生を防止することができるリール体及びリール体の製造方法を提供することを目的とする。
【課題を解決するための手段】
【０００７】
本発明に係るリール体は、剥離基材上に樹脂層が形成されてなる接着フィルムと、接着フィルムを巻取る巻取部と、巻取部の両側に設けられたフランジとを有するリールとを備え、接着フィルムは、巻取部に巻回され、巻取部とフランジとにより形成された領域に配置されており、剥離基材は、長さ方向に沿った幅方向の一端が、樹脂層の長さ方向に沿った幅方向の一端よりも突出した突出部を有し、突出部がフランジに接している。
【０００８】
本発明に係るリール体の製造方法は、剥離基材上に樹脂層が形成された接着フィルムを、巻取部と巻取部の両側に設けられたフランジとを有するリールに巻回させてリール体を製造するリール体の製造方法において、剥離基材は、長さ方向に沿った幅方向の一端が、樹脂層の長さ方向に沿った幅方向の一端よりも突出した突出部を有し、突出部がフランジに接した状態で、接着フィルムを巻取部に巻回させる。
【発明の効果】
【０００９】
本発明によれば、リールに巻回された接着フィルムにおいて巻き絞りが発生して、樹脂層の長さ方向に沿った幅方向の一端よりも外側に樹脂層が流動した場合に、流動した樹脂層が剥離基材の突出部で支持されるため、ブロッキングの発生を防止することができる。
【図面の簡単な説明】
【００１０】
【図１】リール体の構成例を示す斜視図である。
【図２】リール体の構成例を示す側面図である。
【図３】リール体における接着フィルムの構成例を示す断面図である。
【図４】他の実施の形態に係るリール体の接着フィルムの構成例を示す断面図である。
【図５】リール体の異方性導電フィルムを示す断面図である。
【発明を実施するための形態】
【００１１】
以下、本発明の具体的な実施の形態（以下、「本実施の形態」という）の一例について、図面を参照しながら以下の順序で説明する。
１．リール体
２．リール体の製造方法
３．リール体の変形例
４．実施例
【００１２】
＜１．リール体＞
図１は、本実施の形態に係るリール体１の構成例を示す斜視図である。図２は、リール体１の構成例を示す側面図である。リール体１は、リール２と、リール２に巻回された異方性導電フィルム（接着フィルム）３とを備える。
【００１３】
リール２は、筒状の巻取部（巻芯）２１と、巻取部２１の両端にそれぞれ設けられた板状のフランジ２２ａ，２２ｂ（以下、単に「フランジ２２」とも呼ぶ。）とを備える。巻取部２１は、リール２を回転させるための回転軸が挿入される軸穴２１ａを有する。巻取部２１には、異方性導電フィルム３の長手方向の一方の端部が接続され、異方性導電フィルム３が巻回されている。巻取部２１及びフランジ２２は、例えば、種々のプラスチック材料を用いて形成することができる。フランジ２２は、異方性導電フィルム３と接する面に、静電処理を施すようにしてもよい。静電処理を施す方法としては、例えば、ポリチオフェン等の化合物をフランジ２２に塗布する方法が挙げられる。
【００１４】
図３は、異方性導電フィルム３の構成例を示す断面図である。異方性導電フィルム３は、剥離基材３１と、剥離基材３１上に形成された樹脂層３２とを備える。異方性導電フィルム３は、例えば、テープ状に成型されており、フランジ２２ａ，２２ｂに挟持された巻取部２１に、剥離基材３１が外周側となるように巻回された巻装体の状態で、巻取部２１とフランジ２２とで形成された領域に配置されている。
【００１５】
剥離基材３１は、例えば、基材にシリコーン等の剥離剤が塗布されており、テープ状に成型されている。剥離基材３１は、異方性導電フィルム３の乾燥を防ぐとともに、異方性導電フィルム３の形状を維持する。剥離基材３１に用いられる基材としては、例えば、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）等が挙げられる。
【００１６】
剥離基材３１上に形成された樹脂層３２は、例えば、接着剤組成物からなり、図３に示すように、接着剤成分３３と導電性粒子３４とを含有する。接着剤成分３３としては、例えば、熱や光により硬化性を示す材料を用いることができる。特に、接続後の耐熱性や耐湿性に優れている理由から、接着剤成分３３としては、熱硬化性樹脂等の架橋性材料を用いることが好ましい。熱硬化性樹脂としては、常温で流動性を有していれば特に限定されず、例えば、エポキシ樹脂が挙げられる。熱硬化性樹脂であるエポキシ樹脂を主成分として含有するエポキシ系接着剤は、短時間硬化が可能で接続作業性がよく、接着性に優れているため好ましい。
【００１７】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。エポキシ樹脂は、単独又は２種以上を組み合わせたものであってもよい。
【００１８】
導電性粒子３４としては、異方性導電フィルム３において使用されている公知の導電性粒子を用いることができる。例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を用いることが好ましい。
【００１９】
以上のようなリール２と、異方性導電フィルム３とを備えるリール体１において、剥離基材３１の厚さＤは、使用する樹脂層３２の接着剤成分及び被接着物の種類等に合わせて適宜選択することができる。例えば、剥離基材３１の厚さは、３０〜８０μｍとすることが好ましい。剥離基材３１の厚さを３０μｍ未満とすると、異方性導電フィルム３を強く引き出したときに、剥離基材３１が伸びてしまうことがあり、適切な長さの異方性導電フィルム３を貼り付けることが出来ないことがある。剥離基材３１の厚さが８０μｍを超えると、リール体１の保管や使用時の温度条件の変化による剥離基材３１の伸縮の影響によって樹脂層３２がはみ出し易くなったり、異方性導電フィルム３を引き出す際に樹脂層３２が脱落することがあり、好ましくない。
【００２０】
また、図１及び図３に示すように、異方性導電フィルム３において、剥離基材３１は、その長さ方向Ｌに沿った幅方向Ｗの一端３１ａが、樹脂層３２の長さ方向Ｌに沿った幅方向Ｗの一端３２ａよりも突出した突出部３１ｃを有する。また、突出部３１ｃは、リール２のフランジ２２の内面に接している。これにより、異方性導電フィルム３の巻装体において巻き絞りが発生し、樹脂層３２の長さ方向Ｌに沿った幅方向Ｗの一端３２ａよりも外側に樹脂層３２が流動した場合に、流動した樹脂層３２が剥離基材３１の突出部３１ｃで支持される。したがって、リール体１では、ブロッキングの発生を防止することができる。
【００２１】
剥離基材３１の突出部３１ｃの形状は、例えば、図３（Ａ）に示すような半球状、図３（Ｂ），（Ｃ），（Ｆ）に示すような三角柱状、図３（Ｄ），（Ｅ）に示すような四角柱状とすることができる。
【００２２】
また、リール体１は、剥離基材３１の幅方向Ｗの一端３１ａと、樹脂層３２の長さ方向Ｌに沿った幅方向Ｗの一端３２ａとの間の幅（以下、「剥離基材の突出幅Ａ」と呼ぶ。）と、剥離基材３１の厚さＤとが、下記式（１）を満たすようにすることが好ましい。
０＜剥離基材３１の突出幅Ａ≦剥離基材３１の厚さＤ      （１）
【００２３】
剥離基材３１の突出幅Ａを０よりも大きくすることにより、上述の如く、樹脂層３２の幅方向Ｗの一端３２ａよりも外側に樹脂層３２が流動した場合に、流動した樹脂層３２が剥離基材３１の突出部３１ｃで支持されるため、ブロッキングの発生を防止することができる。また、剥離基材３１の突出幅Ａを剥離基材３１の厚さＤ以下とすることにより、剥離基材３１の突出部３１ｃがリール２のフランジ２２に乗り上げて異方性導電フィルム３が反ってしまうことを防止する。これにより、異方性導電フィルム３の巻装体において力の加わり方が不均一となり、樹脂層３２が剥離基材３１の一端３１ａからはみ出してしまうことを防止することができる。したがって、リール体１では、ブロッキングの発生を確実に防止することができる。
【００２４】
また、リール体１は、剥離基材３１の厚さＤを剥離基材３１の突出幅Ａで除した値、すなわち、（剥離基材３１の厚さＤ／剥離基材３１の突出幅Ａ）が、下記式（２）を満たすことが好ましい。
１．０≦（剥離基材３１の厚さＤ／剥離基材３１の突出幅Ａ）≦８．０（２）
【００２５】
リール体１において、（剥離基材３１の厚さＤ／剥離基材３１の突出幅Ａ）を１．０以上とすることにより、剥離基材３１の突出部３１ｃがリール２のフランジ２２に乗り上げて異方性導電フィルム３が反ってしまうことを防止する。これにより、異方性導電フィルム３の巻装体における力の加わり方が不均一となって樹脂層３２が剥離基材３１の一端３１ａからはみ出してしまうことを防止することができるため、ブロッキングの発生を確実に防止することができる。また、リール体１において、（剥離基材３１の厚さＤ／剥離基材３１の突出幅Ａ）を８．０以下とすることにより、樹脂層３２のはみ出しによるブロッキングを防ぐことができる。
【００２６】
以上説明したように、リール体１において、剥離基材３１は、その長さ方向Ｌに沿った幅方向Ｗの一端３１ａが、樹脂層３２の長さ方向Ｌに沿った幅方向Ｗの一端３２ａよりも突出した突出部３１ｃを有する。また、剥離基材３１は、突出部３１ｃがフランジ２２に接している。これにより、リール体１は、異方性導電フィルム３の巻装体において巻き絞りが発生し、樹脂層３２の長さ方向Ｌに沿った幅方向Ｗの一端３２ａよりも外側に樹脂層３２が流動した場合に、流動した樹脂層３２が剥離基材３１の突出部３１ｃで支持される。したがって、リール体１では、ブロッキングの発生を防止することができる。
【００２７】
＜２．リール体の製造方法＞
続いて、上述したリール体１の製造方法の一例について説明する。本実施の形態に係るリール体１の製造方法では、剥離基材３１の突出部３１ｃがフランジ２２に接した状態で、異方性導電フィルム３を巻取部２１に巻回させる。
【００２８】
例えば、まず、エポキシ樹脂と硬化剤とで構成された接着剤中に導電性粒子３４を分散させて樹脂層３２となる接着剤を作製する。作製した接着剤を、剥離剤が塗布された剥離基材３１上に所定の厚さとなるように塗布して、剥離基材３１上に樹脂層３２が形成された異方性導電フィルム３を作製する。上述した式（１）及び式（２）を満たすように、作製した異方性導電フィルム３を切断する。切断した異方性導電フィルム３を、剥離基材３１の突出部３１ｃがフランジ２２の内面に接するようにしながら巻取部２１に巻取る。以上のようにして、リール体１を製造することができる。
【００２９】
リール体１の製造方法では、剥離基材３１の一端３１ａをフランジ２２に接した状態で異方性導電フィルム３を巻取部２１に巻取るようにしている。これにより、異方性導電フィルム３をリール２に巻取る際に、剥離基材３１の一端３１ａがフランジ２２の内面に支持されるため、異方性導電フィルム３の巻きズレの発生を防止することができる。
【００３０】
また、リール体１の製造方法では、剥離基材３１の長さ方向Ｌに沿った幅方向Ｗの他端３１ｂと、樹脂層３２の長さ方向Ｌに沿った幅方向Ｗの他端３２ｂとを一致させ、且つ、剥離基材３１の他端３１ｂと樹脂層３２の他端３２ｂとがフランジ２２の内面に接した状態で異方性導電フィルム３を巻取部２１に巻取ることが好ましい。これにより、異方性導電フィルム３をリール２に巻取る際に、剥離基材３１の他端３１ｂと樹脂層３２の他端３２ｂとがフランジ２２の内面に支持されるため、異方性導電フィルム３の巻きズレの発生をより確実に防止することができる。
【００３１】
さらに、リール体１においては、異方性導電フィルム３における巻きズレの発生を防止することにより、剥離基材３１と樹脂層３２との重なり幅が狭い場合に、その重なり部分に強い力が加わることによって発生するブロッキングを防止することができる。
【００３２】
以上のように説明したリール体１では、例えば、リール体の製造時、保管時、使用時（輸送時）等に受ける冷蔵と常温とのサイクルで、異方性導電フィルム３の樹脂層３２が伸縮することにより巻き締まりが発生しても、ブロッキングの発生を防止することができる。
【００３３】
例えば、異方性導電フィルム３の樹脂層３２が、熱硬化性樹脂で構成されている場合には、５℃以下で異方性導電フィルム３を保管する必要がある。このように、５℃以下で異方性導電フィルム３を保管すると、剥離基材３１が収縮することによって、リール体１において巻回された異方性導電フィルム３の中心部から、締め付け応力によって樹脂層３２がはみ出してしまうことがある。
【００３４】
一方、リール体１によれば、はみ出した樹脂層３２が剥離基材３１の突出部３１ｃで支持されるため、異方性導電フィルム３におけるブロッキングの発生を防止することができる。したがって、リール体１は、５℃以下の雰囲気で保管された場合でも、異方性導電フィルム３をリール２から正常に引出すことができる。
【００３５】
また、例えば、高温条件下（例えば、３０℃以上）でリール体１が使用される場合には、樹脂層３２が側面にはみ出し易くなる。しかし、リール体１では、はみ出した樹脂層３２が剥離基材３１の突出部３１ｃで支持されるため、異方性導電フィルム３におけるブロッキングの発生を防止することができる。したがって、リール体１は、高温条件下で使用された場合でも、異方性導電フィルム３をリール２から正常に引出すことができる。
【００３６】
＜３．リール体の変形例＞
上述した説明では、リール体１において異方性導電フィルム３を用いるものとしたが、この例に限定されず、例えば、導電性粒子３４を含有しない接着フィルム、例えば、ＮＣＦ（Non Conductive Film）等の絶縁性接着フィルムを用いてもよい。
【００３７】
また、上述した説明では、剥離基材３１上に樹脂層３２が形成された異方性導電フィルム３について説明したが、この例に限定されず、異方性導電フィルム３の両面が剥離基材３１によって挟まれた構成としてもよい。
【００３８】
図４は、他の実施の形態に係る異方性導電フィルム３Ａの構成例を示す断面図である。異方性導電フィルム３Ａは、剥離基材３１上に樹脂層３２が塗布されており、樹脂層３２上に剥離基材３５がさらに配置されている。剥離基材３５としては、例えば、剥離基材３１と同じ構成のもの、すなわち、突出部３１ｃと同様の突出部３５ｃを有するものを用いることができる。また、異方性導電フィルム３Ａにおいて、剥離基材３５及び剥離基材３１は、例えば、上述した式（１）及び式（２）を満たす範囲で、剥離基材の厚さ、剥離基材の突出部の形状、剥離基材の突出幅を変更してもよい。なお、図４に示す異方性導電フィルム３Ａにおいて、上述した異方性導電フィルム３と同一の構成については同一の符号を付し、その詳細な説明を省略するものとする。
【実施例】
【００３９】
以下、本発明の具体的な実施例について説明する。なお、下記の実施例に本発明の範囲が限定されるものではない。
【００４０】
（実施例１）
実施例１では、まず、固形エポキシ樹脂４０ｗｔ％と、液状エポキシ樹脂１５ｗｔ％と、シランカップリング剤１ｗｔ％と、硬化剤４０ｗｔ％とからなる接着剤中に、導電性粒子を４ｗｔ％分散させた。
・固形エポキシ樹脂（品名：EP1003、ジャパンエポキシレジン社製）
・液状エポキシ樹脂（品名：EP828、ジャパンエポキシレジン社製）
・シランカップリング剤（品名：KBE-403、信越化学工業社製）
・硬化剤（品名：ノバキュアHX3941、旭化成イーマテリアルズ社製）
・導電性粒子（品名：AUL704、積水化学工業社製）
【００４１】
ＰＥＴ基材の表裏両面に剥離力の異なるシリコーン系剥離剤が塗布された厚さが５３μｍの剥離シートの重剥離面上に、導電性粒子が分散された接着剤を厚みが１８μｍになるように塗布し、３００ｍの長さのシート状の異方性導電フィルムを巻き取った。
【００４２】
得られた異方性導電フィルムを、幅１．５ｍｍ、剥離シートの幅方向Ｗの一端と、樹脂層の長さ方向Ｌに沿った幅方向Ｗの一端との幅（以下、「剥離シートの突出幅」と呼ぶ。）Ａが７μｍとなるようにスリットした。図５（Ａ）は、実施例１で得られた異方性導電フィルムを示す断面図である。異方性導電フィルムの断面形状は、金属顕微鏡（品番：BX61、オリンパス社製）で観察した。スリットした異方性導電フィルムを剥離シートの突出部がリールのフランジ面に接した状態で巻き取った。
【００４３】
（実施例２）
図５（Ｂ）は、実施例２で得られた異方性導電フィルムを示す断面図である。実施例２では、図５（Ｂ）に示すように、異方性導電フィルムにおける剥離シートの厚さが５３μｍ、剥離シートの突出幅Ａが１１μｍとなるようにしたこと以外は、実施例１と同様にして、幅１．５ｍｍ、長さ３００ｍの異方性導電フィルムを得た。
【００４４】
（実施例３）
図５（Ｃ）は、実施例３で得られた異方性導電フィルムを示す断面図である。実施例３では、図５（Ｃ）に示すように、異方性導電フィルムにおける剥離シートの厚さが５３μｍ、剥離シートの突出幅Ａが１９μｍとなるようにしたこと以外は、実施例１と同様にして、幅１．５ｍｍ、長さ３００ｍの異方性導電フィルムを得た。
【００４５】
（実施例４）
図５（Ｄ）は、実施例４で得られた異方性導電フィルムを示す断面図である。実施例４では、図５（Ｄ）に示すように、異方性導電フィルムにおける剥離シートの厚さが３８μｍ、剥離シートの突出幅Ａが２１μｍとなるようにしたこと以外は、実施例１と同様にして、幅１．５ｍｍ、長さ３００ｍの異方性導電フィルムを得た。
【００４６】
（実施例５）
図５（Ｅ）は、実施例５で得られた異方性導電フィルムを示す断面図である。実施例５では、図５（Ｅ）に示すように、異方性導電フィルムにおける剥離シートの厚さが５３μｍ、剥離シートの突出幅Ａが５３μｍとなるようにしたこと以外は、実施例１と同様にして、幅１．５ｍｍ、長さ３００ｍの異方性導電フィルムを得た。
【００４７】
（実施例６）
図５（Ｆ）は、実施例６で得られた異方性導電フィルムを示す断面図である。実施例６では、図５（Ｆ）に示すように、異方性導電フィルムにおける剥離シートの厚さが７８μｍ、剥離シートの突出幅Ａが３８μｍとなるようにしたこと以外は、実施例１と同様にして、幅１．５ｍｍ、長さ３００ｍの異方性導電フィルムを得た。
【００４８】
（比較例１）
図５（Ｇ）は、比較例１で得られた異方性導電フィルムを示す断面図である。比較例１では、図５（Ｇ）に示すように、異方性導電フィルムにおける剥離シートの厚さが５３μｍ、剥離シートの突出幅Ａが０μｍとなるようにしたこと以外は、実施例１と同様にして、幅１．５ｍｍ、長さ３００ｍの異方性導電フィルムを得た。
【００４９】
（比較例２）
図５（Ｈ）は、比較例２で得られた異方性導電フィルムを示す断面図である。比較例２では、図５（Ｈ）に示すように、異方性導電フィルムにおける剥離シートの厚さが５３μｍ、剥離シートの突出幅Ａが７４μｍとなるようにしたこと以外は、実施例１と同様にして、幅１．５ｍｍ、長さ３００ｍの異方性導電フィルムを得た。
【００５０】
表１に、実施例１〜実施例６、比較例１及び比較例２における作製条件及び評価結果を示す。
【００５１】
【表１】
2011058007.tif 000003
【００５２】
（ブロッキング発生の有無の評価）
実施例１〜実施例６及び比較例１、比較例２で得られた異方性導電フィルムのブロッキング発生の有無は、次のようにして行った。すなわち、異方性導電フィルムの引出し末端部に５０ｇの重りをぶら下げ、リール体を３５℃環境下に２４時間放置した後に異方性導電フィルムを３００ｍ全て引き出して、ブロッキング発生の有無を評価した。ブロッキング発生の有無の評価結果を表１に示す。表１において、ブロッキングが「○」とは、目視にて、ブロッキングの発生が認められなかったことを示す。ブロッキングが「×」とは、目視にて、ブロッキングの発生が認められたことを示す。表１に示すように、実施例１〜実施例６では、ブロッキングの評価が「○」であった。一方、比較例１及び比較例２では、ブロッキングの評価が「×」であった。
【００５３】
比較例１では、剥離シートの突出幅Ａが、上述した式（１）及び式（２）を満たしていないため、ブロッキングが発生し、異方性導電フィルムを約２８０ｍ引出した地点で、異方性導電フィルムが剥離シートから剥離した。また、比較例２では、異方性剥離シートの突出幅Ａが、上述した式（１）及び式（２）を満たしていないため、異方性導電フィルムをリールに巻取る際に、リールのフランジに剥離シートの突出部が乗り上げてしまい、異方性導電フィルムが反ってしまった。これにより、異方性導電フィルムの巻装体における力の加わり方が不均一となって樹脂層が剥離シートの一端からはみ出してしまい、ブロッキングが発生した。
【００５４】
一方、実施例１〜実施例６では、異方性導電フィルムの剥離シートの突出幅Ａが、上述した式（１）及び式（２）を満たすようにした。これにより、リールの巻き絞りにより圧縮されて剥離シートの側面からはみ出した異方性導電フィルムの樹脂層が剥離シートの突出部で支持され、ブロッキングの発生を防止することができた。
【符号の説明】
【００５５】
１  リール体、２  リール、３  異方性導電フィルム、２１  巻取部、２１ａ  軸穴、２２  フランジ、３１，３５  剥離基材、３１ａ  一端、３１ｂ  他端、３１ｃ  突出部、３２  樹脂層、３２ａ  一端、３２ｂ  他端、３３  接着剤成分、３４  導電性粒子、３５  剥離基材
【図１】
2011058007.tif 000004
【図２】
2011058007.tif 000005
【図３】
2011058007.tif 000006
【図４】
2011058007.tif 000007
【図５】
2011058007.tif 000008